(57)【要約】【課題】            車椅子等の通過物を開閉体の通過口に容易に通過させることができる開閉装置の設置構造を提供する。【解決手段】        下端側に通過物が通過可能な通過口１１ａを有する開閉体本体１１と、前記通過口１１ａの下端部を連結する連結部１２とを一体的に具備して開閉体１０を構成し、該開閉体１０によって空間を仕切るようにした開閉装置の設置構造において、前記開閉体１０の下方の対向部位には、前記開閉体１０が閉鎖された際に前記連結部１２の一部又は略全部を没入させる没入部４０が形成されている。【選択図】          図１
2005163259.tif 000002
【特許請求の範囲】
【請求項１】
下端側に通過物が通過可能な通過口を有する開閉体本体と、前記通過口の下端部を連結する連結部とを一体的に具備して開閉体を構成し、該開閉体によって空間を仕切るようにした開閉装置の設置構造において、
前記開閉体の下方の対向部位には、前記開閉体が閉鎖された際に前記連結部の一部又は略全部を没入させる没入部が形成されていることを特徴とする開閉装置の設置構造。
【請求項２】
上記連結部が上記没入部よりも上方に位置する際に上記没入部の開口側を塞ぎ、上記連結部が上記没入部内に進入する際には同没入部の開口側を開放する蓋部材を備えたことを特徴とする請求項１記載の開閉装置の設置構造。
【請求項３】
上記蓋部材を、上記開閉体からの押圧力によって上記没入部内へ没入させ、上記開閉体からの押圧力が解除された際には弾性体の弾性力によって略元の状態に復元させるようにしたことを特徴とする請求項２記載の開閉装置の設置構造。
【請求項４】
上記没入部が上記蓋部材によって塞がれた状態をロックするロック手段を備え、
該ロック手段は、上記蓋部材が上記没入部内へ進入する際にロック状態を解除し、上記連結部が少なくとも上記没入部よりも上方に位置する際にロック状態となるように構成されていることを特徴とする請求項２又は３記載の開閉装置の設置構造。
【請求項５】
上記開閉体には、少なくとも上記連結部が上記没入部内に没入された際に、上記開閉体からその厚さ方向へ突出して、上記開閉体と上記没入部との隙間を閉鎖する隙間閉鎖手段が設けられていることを特徴とする請求項１乃至４何れか１項記載の開閉装置の設置構造。
【請求項６】
上記隙間閉鎖手段を、少なくとも上記連結部が上記没入部内に没入される際に、上記開閉体と上記没入部との隙間を閉鎖する形状となり、且つ、少なくとも開放方向側の収納部に収納される際には該収納部に収納可能な形状となるように、変形させるようにしたことを特徴とする請求項５記載の開閉装置の設置構造。
【発明の詳細な説明】
【技術分野】
【０００１】
本発明は、例えばオーバーヘッドドアを含むシャッター装置、ロールスクリーン装置、ゲート等の開閉装置、詳しくは、閉鎖状態で下端側に通過口を有する開閉体を備え、該開閉体により空間を仕切ったり開放したり等する開閉装置の設置構造に関する。
【背景技術】
【０００２】
従来、この種の発明には、特許文献１に記載されているもののように、下端側に通過可能な通過口（開口部１６）を有する開閉体本体（シートカーテン部９）と、該開閉体本体（９）の下端部に開閉体幅方向にわたって連続的に設けられた座板部材（１４）と、前記開閉体本体（９）に吊下げ状に固定されて前記通過口（１６）を開閉自在に閉鎖する扉部材（扉１２）とから、一体的に開閉体（３）を構成し、該開閉体（３）の上下動作により空間を仕切ったり開放したりする開閉装置がある。
【０００３】
上記従来技術によれば、座板部材（１４）の重量によりシート状の開閉体本体（９）を下方へ引っ張るようにしているため、座板部材（１４）にはある程度の体積及び重量が必要であり、且つ座板部材（１４）と開閉体本体（９）との接続代を上下方向に確保する必要もあった。
そのため、座板部材（１４）は、開閉体幅方向の略全長にわたって設けられており、開閉体（３）が閉鎖されて床面や地面、枠部材等の対向部位に当接した際に、開閉体（３）下方の対向部位（例えば床面や地面、枠部材等）から上方へ突出するようにして配置されていた。
【０００４】
しかしながら、上記従来技術では、通過口（１６）の下方側に座板部材（１４）が配置されるため、例えば車椅子が上記通過口（１６）を通過しようとした場合、車椅子の車輪を上記座板部材（１４）に乗り越えさせる必要が生じる。
そこで、開閉体（３）の閉鎖後に座板部材（１４）を乗り越えるための山状のスロープを設置したり、補助者が車椅子を持ち上げながら上記通過口（１６）に通過させたり等によって対応する場合もあり、車椅子等の通過物を通過口（１６）に通り抜けさせるのが困難であった。
【特許文献１】特開２０００−２５７３５７号公報（図２参照）
【発明の開示】
【発明が解決しようとする課題】
【０００５】
本発明は上記従来事情に鑑みてなされたものであり、その課題とする処は、車椅子等の通過物を開閉体の通過口に容易に通過させることができる開閉装置の設置構造を提供することにある。
【課題を解決するための手段】
【０００６】
上記課題を解決するために第一の発明は、下端側に通過物が通過可能な通過口を有する開閉体本体と、前記通過口の下端部を連結する連結部とを一体的に具備して開閉体を構成し、該開閉体によって空間を仕切るようにした開閉装置の設置構造において、前記開閉体の下方の対向部位には、前記開閉体が閉鎖された際に前記連結部の一部又は略全部を没入させる没入部が形成されていることを特徴とする。
【０００７】
ここで、本発明の設置構造に係わる開閉装置は、開閉体の開閉動作により空間を仕切ったり開放したりする装置を意味し、この開閉装置には、開閉体が開動作のみを行うように用いられる態様や、開閉体が閉動作のみを行うように用いられる態様、開閉体が開動作と閉動作との双方を行うように用いられる態様等を含む。
【０００８】
なお、本明細書中において「開閉体厚さ方向」とは、閉鎖状態の上記開閉体の厚さ方向を意味する。
また、本明細書中において「開閉体開閉方向」とは、上記開閉体が開閉動作する方向であって、開閉体の幅方向や厚さ方向でない方向を意味する。
また、本明細書中において「開閉体幅方向」とは、上記開閉体の開閉方向と略直交する方向であって、上記開閉体の厚さ方向ではない方向を意味する。
【０００９】
また、上記開閉体本体は、下端側に通過物が通過可能な通過口を有し、該通過口以外の部位により空間を略仕切るようにしたものであればよく、その材質や構成は限定されない。
上記開閉体本体の具体例としては、複数のスラットやパイプを開閉方向へ連設してなる態様や、単数もしくは複数のパネルや、シート状物、ネット状物を開閉方向へ単数もしくは複数連設してなる態様、あるいはスラット、パネル、パイプ、シート状物、ネット状物等を適宜に組み合わせてなる態様等が挙げられる。
また、当該開閉装置を特に防火や防煙目的で用いる場合には、上記開閉体本体に上記通過口以外の貫通箇所の無い態様とするのが好ましく、この場合の具体例としては、複数のスラットを開閉方向へ連設してなる態様や、単数もしくは複数のパネルやシート状物を開閉方向へ単数もしくは複数連設してなる態様、あるいはスラット、パネル、シート状物等を適宜に組み合わせてなる態様等が挙げられる。
【００１０】
また、上記通過口は、上記開閉体本体の下端側に配置され、上記開閉体本体及びその下端の上記連結部等により囲まれた空間であり、車椅子や、ストレッチャー、自転車、人や物などの通過物が通過可能な大きさに形成される。
また、この通過口には、予め所定の開口面積をもって設けられた態様や、通過物の通過の際に開口した部分が通過口となる態様等を含む。
すなわち、後者態様の具体例としては、上記開閉体本体をシート状物から形成するとともに、その開閉体本体に切り込み部（スリット）を形成し、該切り込み部が通過物の通過の際に開口して通過口となるようにした態様や、上記開閉体本体をシート状物から形成するとともに、その開閉体本体に略上下方向の切り込み部と、該切り込み部の下端側に連続する略左右方向の切り込み部とを設け、これら両切り込み部に沿う部位が通過物の通過により開口されて略三角形状の通過口となるようにした態様等が挙げられる。
また、上記通過口を、前記具体例のように切り込み部に沿う部位の開放によって構成されるようにした場合、その切り込み部に重ね合わせるようにして、扉部材を設けることで、より閉鎖性を向上してもよい。
【００１１】
また、上記通過口には、扉部材により開閉可能にされた態様と、扉部材を備えない開口部のみの態様との双方を含むが、上記開閉体内外の気密性を向上する観点より前者の態様の方が好ましい。
この場合、この扉部材は、その下端側を、上記連結部や、上記開閉体との対向部位（例えば床面や、地面、枠部材等）、上記没入部の上端部等に略接触させた態様と、これら部位に接触させない態様との何れであっても構わないが、通過物の通過時以外の閉鎖性を向上するためには、前者の態様とするのが好ましい。
【００１２】
また、上記連結部は、上記通過口の下端部を連結するようにして、少なくとも上記通過口の下端部を含む範囲に配設されていればよいが、この連結部の好ましい態様としては、上記開閉体本体の下端側に、開閉体幅方向の略全長にわたって接続されることで、所謂座板部材（座板、幅木、水切り等と呼称される場合もある）を構成し、上記開閉体本体を全体的に下方へ引っ張ったり、上記開閉体本体の幅方向や厚さ方向における撓みや皺を矯正したり等の作用効果を兼ね備える。
また、この連結部は、上記開閉体本体と一体の部位であってもよい。すなわち、例えば上記開閉体本体の下端側に、上記連結部となる下縁側部分を残して上記通過口を設けた構成において、前記下縁側部分を上記連結部としてもよい。
また、この連結部は、開閉体幅方向の一部又は略全部を下方へ突出させて構成し、その突出部分が上記没入部に没入されるようにした態様や、開閉体幅方向の一部又は略全部が通過物の荷重等によって下方へスライドして上記没入部に没入されるようにした態様等としてもよい。
【００１３】
また、上記没入部は、上記開閉体が閉鎖された際に上記連結部の一部又は略全部を没入させるようにした構成であればよく、例えば、上記連結部における開閉体幅方向の一部又は全部を没入させるようにした態様や、上記連結部における開閉体閉鎖方向の一部又は全部を没入させるようにした態様等を含むが、通過物の通過性を一層良好にするためには、上記開閉体が閉鎖された際に上記連結部の略全部を没入させるようにした構成とするのが好ましい。
また、この没入部の形状は、上記連結部の一部又は全部を没入可能な形状であればよく、例えば少なくとも上記連結部を没入可能な略溝状とされ、好ましくは、上記開閉体の下端部を開閉体幅方向にわたって全部没入可能な略溝状とされる。
【００１４】
また、第二の発明では、上記連結部が上記没入部よりも上方に位置する際に上記没入部の開口側を塞ぎ、上記連結部が上記没入部内に進入する際には同没入部の開口側を開放する蓋部材を備えたことを特徴とする。
【００１５】
ここで、上記蓋部材には、上記対向部位と略平行するスライドにより上記没入部の開口側を開閉する態様や、該蓋部材の縁部分が上記没入部の開口側に枢支され、この枢支部を支点として、該蓋部材の揺動端側が上記没入部内へ回動することで、上記没入部の開口側を開放するようにした態様、上記没入部の開口側から底部側へ沈み込むようにスライドすることで、上記没入部の開口側を開放するようにした態様等を含む。
また、上記蓋部材を開閉動作させる手段は、上記開閉体が略完全に開放された位置にある際のみ、上記没入部の開口側を塞ぐ態様としてもよいが、上記没入部の開放時間が必要最小限にすることで、没入部内への異物の進入をより阻むためには、開閉体閉鎖方向へ移動する連結部が該蓋部材に近接又は略接触したのを契機にして該蓋部材を開放動作し、開閉体開放方向へ移動する連結部が上記没入部よりも上方へ離れたのを契機として該蓋部材を閉鎖する構成とするのが好ましい。
この場合、リミットスイッチや近接スイッチ等により、上記連結部の位置を検知し、この検知信号に基づいて上記蓋部材を開放動作または閉鎖動作するようにしてもよいし、上記連結部の昇降に連動する機械的な構成によって上記蓋部材を開放動作または閉鎖動作するようにしてもよい。
【００１６】
また、第三の発明では、上記蓋部材を、上記開閉体からの押圧力によって上記没入部内へ没入させ、上記開閉体からの押圧力が解除された際には弾性体の弾性力によって略元の状態に復元させるようにしたことを特徴とする。
【００１７】
ここで、上記弾性体には、コイルバネや、板状バネ、ゴム、弾性合成樹脂材料からなる部材、内部が気体等の流体で圧縮変形により弾性力を得るようにしたシリンダーピストン状の機構等を含む。
また、この弾性体には、圧縮された際の復元力（伸びようとする力）を上記弾性力として利用した態様と、引き伸ばされた際の復元力（縮もうとする力）を上記弾性力として利用した態様との双方を含む。
【００１８】
また、第四の発明では、上記没入部が上記蓋部材によって塞がれた状態をロックするロック手段を備え、該ロック手段は、上記蓋部材が上記没入部内へ進入する際にロック状態を解除し、上記連結部が少なくとも上記没入部よりも上方に位置する際にロック状態となるように構成されていることを特徴とする。
【００１９】
ここで、上記ロック手段には、上記連結部の位置をリミットスイッチや近接スイッチ等によって検知し、この検知信号に応じて電気的な駆動源（例えばスライド部材を電磁的にスライドさせる機構やモーター等）を駆動させて上記蓋部材を係脱させるようにした機構、連結部の昇降動作に機械的に連動して上記蓋部材を係脱させるようにした機構等を含む。
【００２０】
また、第五の発明では、上記開閉体には、少なくとも上記連結部が上記没入部内に没入された際に、上記開閉体からその厚さ方向へ突出して、上記開閉体と上記没入部との隙間を閉鎖する隙間閉鎖手段が設けられていることを特徴とする。
【００２１】
ここで、上記隙間閉鎖手段の具体例としては、上記開閉体の表面と裏面との内、一方又は双方に、上記連結部が上記没入部内に没入された際に上記没入部の開口側に位置するように、開閉体厚さ方向へ突出する部材を設けた態様等が挙げられる。
【００２２】
また、第六の発明では、上記隙間閉鎖手段を、少なくとも上記連結部が上記没入部内に没入される際に、上記開閉体と上記没入部との隙間を閉鎖する形状となり、且つ、少なくとも開放方向側の収納部に収納される際には該収納部に収納可能な形状となるように、変形させるようにしたことを特徴とする。
【００２３】
ここで、上記変形とは、上記隙間閉鎖手段の全体形状が変化することを意味する。
上記隙間閉鎖手段の具体例としては、弾性部材を介してリンク結合された複数の部材を備え、これら複数の部材の内の一部が回動することで全体形状が変化するようにした態様（例えば、バネ蝶番等）や、ゴムや弾性合成樹脂材料等の弾性体からなり、該弾性体自体が弾性的に変形するようにした態様等が挙げられる。
また、上記隙間閉鎖手段を変形させる手段は、上記連結部の位置をセンサー等により検出し、その検出信号に応じて電気的に駆動して変形する態様としてもよいが、特に簡素で好ましい構成としては、上記連結部が上記没入部内に没入される際に上記没入部側の部位との当接によって変形し、上記連結部が上記没入部から離れる際には弾性的に元の状態に復元する態様とする。
【発明の効果】
【００２４】
本発明は、以上説明したように構成されているので、以下に記載されるような作用効果を奏する。
第一の発明によれば、開閉体が閉鎖状態となる際、通過口の下端の連結部が、その一部又は略全部を没入部内に没入させる。
よって、床面や、地面、枠部材等の対向部位と連結部の上端部との段差が、小さくなるか或いは無くなるため、通過口を通過しようとする通過物（例えば、車椅子や、ストレッチャー、自転車、人や物等）を、容易に通過させることができる。
【００２５】
更に、第二の発明によれば、連結部が没入部よりも上方に位置する際、没入部が蓋部材によって塞がれるため、没入部内へ塵や埃、水等の異物が侵入するのを防ぐことができる。
【００２６】
更に、第三の発明によれば、没入部内への連結部の進退に応じて蓋部材を開閉させる機構を、弾性体の弾性力を利用した簡素な構造とすることができる。
【００２７】
更に、第四の発明によれば、連結部が没入部よりも上方に位置する際、例えば開閉体が開放状態にある際等には、没入部を閉鎖した蓋部材がロック状態となる。
したがって、通過物による接触や押圧力等により、蓋部材が開放動作してしまうのを防ぐことができ、ひいては通過物が没入部内へ落下したり嵌ったり等するのを防ぐことができる。
【００２８】
更に、第五の発明によれば、連結部が没入部内に没入した際、開閉体と没入部との隙間が隙間閉鎖手段によって閉鎖される。そのため、前記隙間へ塵や埃、水等の異物が侵入してしまうのを防ぐことができる。
【００２９】
更に、第六の発明によれば、開閉体が収納部に収納される際、隙間閉鎖手段が収納部に収納可能となるように変形する。したがって、開閉体が開放状態の際に、隙間閉鎖手段を収納部内に収納して、外観上の体裁を向上できる。
その上、開閉体が収納部に収納される際に、開閉体外面と収納部内面との隙間を小さくすることもできる。すなわち、仮に隙間閉鎖手段が変形不能な場合、その変形不能な隙間閉鎖手段を収納するために、収納部における収納用の開口部の面積を大きくする必要があり、この場合、開閉体と前記開口部との隙間が大きくなり、開閉体による閉鎖性を損ねてしまうおそれがあるが、本発明によれば、開閉手段が、収納部に収納される際に、収納部に収納可能な形状に変形するため、開閉体と前記開口部との隙間を小さくして、開閉体による閉鎖性を向上することができる。
【発明を実施するための最良の形態】
【００３０】
以下、本発明の実施の形態を図面に基づいて説明する。
本実施の形態による開閉装置の設置構造の一例は、住宅やビル、倉庫、工場、地下街、トンネル、車両の荷台等の構築・構造物における開口部分や内部に配設され、前記開口部分を開閉したり、躯体内部の空間を仕切ったり開放したりする所謂シャッター装置の設置構造、特に、火災などが発生した際に、煙の拡散や延焼を速やかに防止するのに好適なシート状のシャッター装置の設置構造として説明するが、前記以外の目的で利用することも可能であり、例えば、冷気等の流通を防止し、保温性の低下を極力抑える目的等のために、保冷庫などに配設されるシート状のシャッター装置の設置構造としても利用可能である。
【００３１】
この設置構造は、空間を仕切ったり開放したりする開閉装置Ａと、該開閉装置Ａにおける開閉体１０の下方の対向部位ｙ（例えば床面や、地面、枠部材等）に設けらて、開閉体１０の下端側を没入させる没入部４０とを備えている（図１及び２参照）。
【００３２】
開閉装置Ａは、下端側に通過物が通過可能な通過口１１ａを有する開閉体本体１１や、通過口１１ａを開閉自在に閉鎖する扉部材１３、通過口１１ａの下端部を連結する連結部１２、連結部１２が没入部４０内に没入されるのに伴って開閉体１０と没入部４０との隙間を閉鎖する隙間閉鎖手段１４（図２参照）等を一体的に具備することで、開閉体１０を構成している。
そして同開閉装置Ａは、前記開閉体１０を左右両側のガイドレール２０，２０に導かせて上下方向へ開閉動作させ、該開閉体１０により空間を仕切った際に、前記連結部１２を下方の没入部４０に没入させ、また、開閉体１０が開放状態の際には、同連結部１２を収納部３０（図３参照）内へ収納する。
【００３３】
開閉体本体１１は、例えば、ガラスクロスやシリカクロス等の難燃性布地や、フッ素加工を施した塩化ビニル樹脂シート材、ガラス繊維を含んだ合成樹脂シート材等からなる。
この開閉体本体１１は、開閉体幅方向に長い略矩形帯状のシート材を、上下方向に複数連接するように縫い付けてなる態様や、開閉体開閉方向に長い略矩形帯状のシート材を、左右方向に複数連接するように縫い付けてなる態様等、複数のシート材を縫い合わせた構成としてもよいし、一枚のシート材を略矩形状に裁断することで構成してもよい。
そして、この開閉体本体１１の下端側には、人や物等の通過物が通過可能な略矩形切欠状の通過口１１ａが形成され、更に、同開閉体本体１１の最下端部には連結部１２が接続されている。
【００３４】
また、扉部材１３は、開閉体本体１１の表面側と裏面側との各々に具備された略矩形状のシート材である（図２参照）。
各扉部材１３は、開閉体本体１１と略同材質のシート材からなり、開閉体本体１１同様に、略矩形帯状のシート材を複数連接するように縫い付けて構成してもよいし、一枚のシート材を矩形状に裁断することで構成してもよい。
各扉部材１３の下端側は縦断面袋状に形成され、その袋状部位には、該扉部材１３の自重による閉動作を補助するように、錘部材を該扉部材１３の幅方向にわたって内在している。
そして、各扉部材１３は、その上端側が通過口１１ａの上端に沿うようにして開閉体本体１１に縫付け固定された吊り下げ状に設けられ、その下端部を連結部１２の上端に近接又は略接触させて閉鎖性を維持し、開閉体本体１１との固定部位よりも下側を捲る、引く、押す等されることで開放される。
なお、各扉部材１３と開閉体本体１１との間には、扉部材１３による閉鎖性を良好にするために、必要に応じて、ベルベットファスナーやベルクロファスナー、メンファスナー等と呼称される係脱部材（図示せず）を設けてもよい。
【００３５】
連結部１２は、通過口１１ａの下端部を連結するように配置された部材であり、本発明の好ましい一例によれば、開閉体１０における幅方向の略全長にわたって開閉体本体１１の下端に接続されることで、開閉体１０による閉鎖性を良好にするとともに、その自重により開閉体本体１１を幅方向の略全長にわたって下方へ引っ張って、開閉体本体１１の開閉方向及び幅方向の撓みや皺等を抑制する座板部材（座板、幅木、水切り等と呼称される場合もある）としての機能を兼ね備えている。
この連結部１２は、例えば断面略逆Ｔ字状や断面略枠状等、開閉体幅方向において撓み難い断面形状に形成され、開閉体本体１１を下方へ引っ張る作用を向上させるように、内部に金属製等の錘部材を具備している。
【００３６】
そして、前記連結部１２の上端側には、連結部１２が後述する没入部４０内に没入された際に開閉体１０と没入部４０との隙間を閉鎖するように変形し、開閉体１０が後述する収納部３０に収納される際には、収納部３０に収納可能となるように変形する隙間閉鎖手段１４が設けられている（図２参照）。
【００３７】
隙間閉鎖手段１４は、二つの板状部材１４ａを、それぞれ弾性回動部材１４ｂを介して所定角度揺動するように、連結部１２の表裏両面に支持してなる。
そして、各板状部材１４ａは、開閉体１０が没入部４０よりも上方側へ離れている際、板状部材１４ａの突端側を斜め下方へ向けるた状態で支持される。
【００３８】
各板状部材１４ａは略長尺矩形状を呈し、連結部１２に支持される長辺の寸法は、後述する没入部４０の開閉体幅方向の全長と略同等の長さに設定されている。
また、各板状部材１４ａの短辺の長さは、板状部材１４ａの斜め下方向きの突端が、後述する没入部４０内へ没入され際に、該没入部４０の開口部よりも外側の唾面に摺接し、且つ同斜め下方向きの突端が後述する収納部３０内に収納可能なように設定されている。
【００３９】
前記弾性回動部材１４ｂは、リンク結合された二枚の板材にスプリング等の弾性部材を係合させ、これら両板材を所定角度に維持するとともに、両板材間が広げられた際に、前記弾性部材の弾性力により両板材間の角度を略前記所定角度に復元するように構成された部品であり、所謂バネ付蝶番を用いた構成としてもよい。
そして、この弾性回動部材１４ｂは、前記二枚の板材の内、一方を板状部材１４ａに止着し、他方を連結部１２に止着しており、連結部１２の開閉体幅方向にわたって単数もしくは複数配設されている。
【００４０】
また、ガイドレール２０は、開閉体１０の開閉体幅方向の両側に設けられ、開閉体１０を開閉方向へ案内している。
本実施の形態の一例によれば、このガイドレール２０は、その下端部を部分的に蓋部材４２上面に当接させて、蓋部材４２の上限位置を規制している。
【００４１】
また、没入部４０は、対向部位ｙに埋設された本体部４１と、該本体部４１の開口部を塞ぐ蓋部材４２と、該蓋部材４２を上方へ付勢する弾性体４３と、本体部４１内へ没入された際の蓋部材４２の下限位置を規制する規制部４４とを具備している。
【００４２】
本体部４１は、連結部１２の開閉体幅方向よりも若干長い略溝状の部材であり、蓋部材４２及び弾性体４３、規制部４４を収納した状態で、連結部１２の略全部を没入可能な形状に形成されている。
図示例によれば、本体部４１内に連結部１２を没入させた状態で、連結部１２の上端が対向部位ｙと略面一となるように、本体部４１の深さ寸法が設定されている。
【００４３】
蓋部材４２は、本体部４１の開口部を略塞ぐとともに、本体部４１内を上下方向へスライド可能に形成された略矩形板状の部材であり、その周縁部には、曲げ強度を向上させるために下方へ突出した鍔部４２ａを有する。
この蓋部材４２は、下方から弾性体４３の弾性力により付勢された状態で、開閉体幅方向の端部をガイドレール２０に当接させることで、その上面が対向部位ｙと略面一になるように支持されている。
なお、蓋部材４２の上面を対向部位ｙと略面一にする手段は、上記構成に限定されるものでなく、例えば、本体部４１内に、蓋部材４２対し上方から当接する当接片部（図示せず）を設けるようにしてもよい。
【００４４】
また、弾性体４３は、弾性力によって蓋部材４２を上方へ付勢する部材であればよく、図示例によれば圧縮バネが用いられ、その一方の座面を本体部４１の底面に当接させるとともに、他方の座面を蓋部材４２の内面に当接させている。
そして、この弾性体４３は、本体部４１内の開閉体幅方向にわたって、所定間隔置きに複数配設される。
【００４５】
規制部４４は、下方へスライドした際の蓋部材４２の下面を受けるようにして、本体部４１の底面側に配設された部材である。図２に示す一例によれば、本体部４１の底面における開閉体厚さ方向の両側に、それぞれ配設されている。
この規制部４４は、閉鎖された際の開閉体１０の重量を支持可能な構成とすればよく、開閉体幅方向にわたって連続的に設けられていてもよいし、開閉体幅方向にわたって分割状に複数設けられていてもよい。
また、上記規制部４４は、上記構成のように本体部４１の底面側に配設せずに、上記蓋部材４２の鍔部４２ａの突出量を大きくすることで、蓋部材４２と一体的に構成された態様とすることも可能である。
【００４６】
また、蓋部材４２の下限位置を規制する手段は、上記規制部４４による構成に限定されるものでなく、例えば、蓋部材４２を省くとともに、上記圧縮スプリング（弾性体４３）が全密着状態となった際に下限位置となる構成や、本体部４１の略垂直状の内面に上下方向のスライド孔（図示せず）を形成するとともに、蓋部材４２には、前記スライド孔と係合する突部（図示せず）を設け、前記スライド孔の長さを適宜寸法とすることにより、蓋部材４２の上限位置及び下限位置が決められるようにした構成等としてもよい。
【００４７】
また、上記没入部４０には、連結部１２が没入部４０よりも上方に位置する際に蓋部材４２をロック状態とし、連結部１２没入部４０内へ進入する際に前記ロック状態を解除するロック手段５０（図２参照）が具備されている。
このロック手段５０は、より詳細には、蓋部材４２が対向部位ｙと略面一になった際に、該蓋部材４２の裏面側に掛合部材５１を掛合させ、連結部１２が蓋部材４２に対し当接した際に、掛合部材５１を本体部４１の壁面内に没入させる機構としている。
【００４８】
掛合部材５１を本体部４１の壁面から出没させる機構は、連結部１２が蓋部材４２に当接した際の位置をリミットスイッチや近接スイッチ等の検知部（図示せず）によって検知し、その検知信号によりソレノイド５２を通電し、該ソレノイドの磁力により掛合部材５１を没入させ、圧縮スプリング等の弾性体５３の弾性力により掛合部材５１を元の突出位置に復元させるようにした構成とすればよい（図２参照）。なお、掛合部材５１は、蓋部材４２による下方からの摺接により没入されるように、その先端部に傾斜面を形成している。
また、この機構の他例としては、蓋部材４２に当接される際の連結部１２の動作に機械的に連動させて掛合部材５１を没入させる構成としてもよい。
なお、図示例によれば、ロック手段５０は、没入部４０における開閉体厚さ方向一端側のみに設けられているが、両端側の双方に配設してもよいし、あるいは没入部４０における開閉体幅方向の一端側または両端側に配設してもよい。
【００４９】
また、収納部３０は、開閉体１０を巻き取ったり繰り出したりする巻取軸３１や、該巻取軸３１に巻き取られた開閉体１０等を収納するケースであり、その下端部に、開閉体１０を出入りさせるための開口部３０ａを有する。この開口部３０ａの開閉体厚さ方向の幅は、上記したように板状部材１４ａ，１４ａをスムーズに通過させるように、下方向きに傾斜する板状部材１４ａ，１４ａの両突端部間の幅よりも若干広く設定している。
なお、巻取軸３１を回動させる機構は、モータ等の電動駆動源により巻取軸３１を回動させる機構や、スプリング等の付勢部材の付勢力により巻取軸３１を回動させる機構、錘体や開閉体１０の自重により巻取軸３１を回動させる機構、あるいはこれらの機構を組み合わせてなる機構等、何れの態様であってもよい。
また、収納部３０内には、必要に応じて、開閉体１０に対し弾性的に接触することで開閉体１０による閉鎖性を向上する気密部材（図示せず）を設けてもよく、この場合、前記気密部材の配置は、隙間閉鎖手段１４の板状部材１４ａ，１４ａと干渉しない位置とすればよい。
【００５０】
而して、上記構成の開閉装置Ａによれば、開閉体１０が開放状態の際、蓋部材４２によって没入部４０が塞がれているため、没入部４０の本体部４１内への塵や埃、水等の異物の浸入が阻まれる。
また、前記状態では、蓋部材４２が対向部位ｙと略面一の状態でロックされているため、蓋部材４２上を交差するようにして通過する通過物（例えば、車椅子や、ストレッチャー、自転車、人や物等）に対して、段差や、蓋部材４２の没入による衝撃等を与えることがなく、その通過が容易である。
【００５１】
開閉体１０が閉鎖動作し、連結部１２が蓋部材４２に当接すると（図１（ｂ）及び図２（ｂ）の状態）、ロック手段５０が解除され、連結部１２及び蓋部材４２が本体部４１内へ没入する。
すると、その没入に伴って、隙間閉鎖手段１４は、板状部材１４ａを、没入部４０の外側の唾面に摺接させて、対向部位ｙと略面一な略水平状となるまで回動させる。そのため、開閉体１０と没入部４０との間の隙間が板状部材１４ａによって略閉鎖され（図３（ｃ）の状態）、没入部４０内への異物の進入が阻まれる。
なお、ロック手段５０は、蓋部材４２が掛合部材５１よりも下方へ移動した後、ソレノイド５２を非通電にし、掛合部材５１を、弾性体５３の弾発力によって元の突出状態に復帰させる。
【００５２】
この閉鎖状態においては、通過口１１ａの下端が対向部位ｙと略面一になり、且つ連結部１２の上端も対向部位ｙと略面一になる。
したがって、扉部材１３を開放して通過口１１ａを通過しようとする通過物は、その通過の際に殆ど段差等を感じることがなく、スムーズに通過口１１ａを通り抜けることができる。
また、前記通過の際、通過物が蓋部材４２上に乗ったとしても、その荷重が規制部４４によって支えられるため、蓋部材４２が沈み込むことなく、通過性は良好である。
【００５３】
開閉体１０が開放動作する際には、蓋部材４２が、該開閉体１０の開放方向への移動に追従するようにして、弾性体４３に付勢されながら上昇する。
その上昇中の蓋部材４２は、ロック手段５０における掛合部材５１先端の傾斜面に摺接することで、掛合部材５１を弾性体５３の付勢力に抗して本体部４１壁面内へ没入させる。そして、蓋部材４２は、掛合部材５１よりも上方側へ移動し、弾性体５３に付勢力されて再度突出した掛合部材５１によって掛止され、ロック状態となる。
【００５４】
また、開閉体１０の上昇中に、隙間閉鎖手段１４の両板状部材１４ａ，１４ａは、蓋部材４２から離れながら、弾性回動部材１４ｂの付勢力によって突端部を斜め下方へ向けるように回動する。したがって、隙間閉鎖手段１４は、その開閉体厚さ方向の全長を収縮させるようにして変形する
更に上昇した開閉体１０は、斜め下方向きの両板状部材１４ａ，１４ａを収納部３０の開口部３０ａ内にスムーズに通過させて、連結部１２の下端面を開口部３０ａの下端面と略面一にした状態で停止する。
【００５５】
なお、上記隙間閉鎖手段１４の他例としては、両板状部材１４ａ，１４ａを、弾性体を介して開閉体１０に略直交するように支持し、開口部３０ａの下縁に当接されることで、両板状部材１４ａ，１４ａが弾性的に斜め下方へ向けられるようにした態様とすることも可能である。
更に、上記隙間閉鎖手段１４の他例としては、両板状部材１４ａ，１４ａをゴムや弾性合成樹脂材料等の弾性材料から形成するとともに、開閉体１０に略直交するように固定し、開口部３０ａの下縁に当接されることで、両板状部材１４ａが弾性的に変形するようにした態様とすることも可能である。
【００５６】
また、上記隙間閉鎖手段１４は、両板状部材１４ａ，１４ａを開閉体１０に略直交するように固定し、これら板状部材１４ａ，１４ａを前記略直交した状態のまま収納部３０の開口部３０ａ内へ収納させる態様とすることも可能であるが、この場合、開口部３０ａ内面と連結部１２の表裏面との隙間が大きくなり、開閉体１０による閉鎖性を損ねてしまう場合があるため、上述した開閉装置Ａの態様とする方が好ましい。
また、上記隙間閉鎖手段１４は、開閉体収納状態での外観上の体裁等を考慮する必要がない場合等には、両板状部材１４ａ，１４ａを開閉体１０に略直交するように固定し、これら板状部材１４ａ，１４ａが収納部３０の開口部３０ａよりも下方側に位置する際に、開閉体１０の開放動作を停止するようにしてもよい。
【００５７】
また、上記開閉装置Ａは、連結部１２における上端側の開閉体厚さ方向の幅を、没入部４０の本体部４１における開閉体厚さ方向の幅と略同等とし、該上端側部位によって本体部４１の開口を塞ぐようにすることで、上記連結部１２を省いた構成としてもよい。
更に、上記開閉装置Ａは、開閉体１０と没入部４０の本体部４１内面との間に隙間が生じても支障がない場合等には、上記隙間閉鎖手段１４を省いた構成とすることも可能である。
【００５８】
また、上記開閉装置Ａの設置構造によれば、異物の侵入を阻むための蓋部材４２、弾性体４３、及び規制部４４や、該蓋部材４２をロックするためのロック手段５０等を具備しているが、没入部４０における本体部４１の開閉体厚さ方向の幅を比較的狭くした場合等には、通過物が本体部４１内へ若干入り込んだとしても該通過物に対する悪影響が少ないため、ロック手段５０を省いた構成としてもよい。更に没入部４０の本体部４１内への異物の侵入が比較的少ない場合等には、ロック手段５０、蓋部材４２、弾性体４３、及び規制部４４を省いた構成等とすることも可能である。
【図面の簡単な説明】
【００５９】
【図１】本発明に係わる開閉装置の設置構造の一例を示す正面図であり、開閉体が閉鎖される際の動作を（ａ）乃至（ｃ）に順次に示している。
【図２】同開閉装置の設置構造を示す断面図であり、開閉体が閉鎖される際の動作を（ａ）乃至（ｃ）に順次に示している。
【図３】同開閉装置の収納部に開閉体を収納した状態を示す断面図。
【符号の説明】
【００６０】
１０：開閉体
１１：開閉体本体
１１ａ：通過口
１２：連結部
１４：隙間閉鎖手段
４０：没入部
４２：蓋部材
４３：弾性体
５０：ロック手段
Ａ：開閉装置
【図１】
2005163259.tif 000003
【図２】
2005163259.tif 000004
【図３】
2005163259.tif 000005